(57)【要約】      （修正有）【課題】大雑把に折り畳まれた状態の折り畳み傘を容易に収納することができる折り畳み傘用の傘袋を提供する。【解決手段】折り畳み傘を収納するための折り畳み傘用の傘袋１であって、袋部３と、袋部の外周側２５を開閉する開閉部（スライドファスナ５）と、を備える。開閉部により袋部の外周側を閉じたときに、袋部は、軸端側が開口した筒状とされ、開閉部により袋部の外周側を開いたときに、袋部は、開口面積の大きい端側３ａが開口する袋状とされる。【選択図】図１
0003206863.tif 000002
【実用新案登録請求の範囲】
【請求項１】
折り畳み傘を収納するための折り畳み傘用の傘袋であって、
袋部と、
前記袋部の外周側を開閉する開閉部と、を備え、
前記開閉部により前記袋部の外周側を閉じたときに、前記袋部は、軸端側が開口した筒状とされ、
前記開閉部により前記袋部の外周側を開いたときに、前記袋部は、端側が開口する袋状とされることを特徴とする折り畳み傘用の傘袋。
【請求項２】
前記袋部には、前記袋部を手提げ状態とするための持ち手部が設けられている請求項１記載の折り畳み傘用の傘袋。
【請求項３】
前記開閉部により前記袋部の外周側を閉じたときに、前記袋部は、手提げ状態で上下方向に軸心が沿い且つ上端側が開口した有底筒状とされ、
前記開閉部により前記袋部の外周側を開いたときに、前記袋部は、手提げ状態で上下方向に縦長となる平面矩形状で且つ上端側が開口する袋状とされる請求項２記載の折り畳み傘用の傘袋。
【請求項４】
前記開閉部は、スライドファスナであり、
前記スライドファスナは、前記袋部の外周側において一方の横縁側及び該一方の横縁側に連なる底縁側に設けられる第１エレメントと、前記袋部の外周側において他方の横縁側及び該他方の横縁側に連なる底縁側に設けられる第２エレメントと、前記第１エレメント及び前記第２エレメントに沿ってスライドすることで前記第１エレメント及び前記第２エレメントを噛合状態と非噛合状態とに変更するスライダと、を備える請求項３記載の折り畳み傘用の傘袋。
【請求項５】
前記持ち手部は、帯状又は紐状に形成されているとともに、両端側が前記袋部の上端側に接合されている請求項２乃至４のいずれか一項に記載の折り畳み傘用の傘袋。
【請求項６】
前記袋部は、端側が開口するように互いの外周側が接合されている第１布体及び第２布体を備え、
前記第１布体及び前記第２布体のうちの少なくとも一方の布体には、該一方の布体の表面に沿うように可撓性の補強板が設けられている請求項１乃至５のいずれか一項に記載の折り畳み傘用の傘袋。
【請求項７】
前記一方の布体は、前記補強板を挟んだ状態で互いの外周側が接合されている一対の布地を備える請求項６記載の折り畳み傘用の傘袋。
【請求項８】
前記第１布体及び前記第２布体のそれぞれは、防水性の材料で形成されている請求項６又は７に記載の折り畳み傘用の傘袋。
【考案の詳細な説明】
【技術分野】
【０００１】
本考案は、折り畳み傘用の傘袋に関し、さらに詳しくは、折り畳み傘を収納するための折り畳み傘用の傘袋に関する。
【背景技術】
【０００２】
従来、折り畳み傘は、コンパクトに折り畳まれた状態にでき、携帯できる傘として多く利用されている（例えば、特許文献１参照）。この折り畳み傘は、通常、非使用時に折り畳まれた状態で専用の傘袋内に収納されて持ち運ばれる一方、降雨時等の使用時に傘袋から取り出されて使用される。また、傘袋は、折り畳まれた状態の折り畳み傘と略同じ大きさの袋状に形成されている。
【先行技術文献】
【特許文献】
【０００３】
【特許文献１】特開２０００−１１６４２２号公報
【考案の概要】
【考案が解決しようとする課題】
【０００４】
しかし、上記従来の傘袋は、折り畳まれた状態の折り畳み傘と略同じ大きさの袋状に形成されているため、適正に折り畳まれた状態の折り畳み傘でなければ、傘袋の細い開口から入れ難い。すなわち、折り畳まれていない状態や大雑把に折り畳まれた状態の折り畳み傘は、傘袋内に収納することが困難となる。
【０００５】
本考案は、上記現状に鑑みてなされたものであり、折り畳み傘を容易に収納することができる折り畳み傘用の傘袋を提供することを目的とする。
【課題を解決するための手段】
【０００６】
上記問題を解決するために、請求項１に記載の考案は、折り畳み傘を収納するための折り畳み傘用の傘袋であって、袋部と、前記袋部の外周側を開閉する開閉部と、を備え、前記開閉部により前記袋部の外周側を閉じたときに、前記袋部は、軸端側が開口した筒状とされ、前記開閉部により前記袋部の外周側を開いたときに、前記袋部は、端側が開口する袋状とされることを要旨とする。
請求項２に記載の考案は、請求項１記載の考案において、前記袋部には、前記袋部を手提げ状態とするための持ち手部が設けられていることを要旨とする。
請求項３に記載の考案は、請求項２記載の考案において、前記開閉部により前記袋部の外周側を閉じたときに、前記袋部は、手提げ状態で上下方向に軸心が沿い且つ上端側が開口した有底筒状とされ、前記開閉部により前記袋部の外周側を開いたときに、前記袋部は、手提げ状態で上下方向に縦長となる平面矩形状で且つ上端側が開口する袋状とされることを要旨とする。
請求項４に記載の考案は、請求項３記載の考案において、前記開閉部は、スライドファスナであり、前記スライドファスナは、前記袋部の外周側において一方の横縁側及び該一方の横縁側に連なる底縁側に設けられる第１エレメントと、前記袋部の外周側において他方の横縁側及び該他方の横縁側に連なる底縁側に設けられる第２エレメントと、前記第１エレメント及び前記第２エレメントに沿ってスライドすることで前記第１エレメント及び前記第２エレメントを噛合状態と非噛合状態とに変更するスライダと、を備えることを要旨とする。
請求項５に記載の考案は、請求項２乃至４のいずれか一項に記載の考案において、前記持ち手部は、帯状又は紐状に形成されているとともに、両端側が前記袋部の上端側に接合されていることを要旨とする。
請求項６に記載の考案は、請求項１乃至５のいずれか一項に記載の考案において、前記袋部は、端側が開口するように互いの外周側が接合されている第１布体及び第２布体を備え、前記第１布体及び前記第２布体のうちの少なくとも一方の布体には、該一方の布体の表面に沿うように可撓性の補強板が設けられていることを要旨とする。
請求項７に記載の考案は、請求項６記載の考案において、前記一方の布体は、前記補強板を挟んだ状態で互いの外周側が接合されている一対の布地を備えることを要旨とする。
請求項８に記載の考案は、請求項６又は７に記載の考案において、前記第１布体及び前記第２布体のそれぞれは、防水性の材料で形成されていることを要旨とする。
【考案の効果】
【０００７】
本考案の折り畳み傘用の傘袋によると、袋部と、袋部の外周側を開閉する開閉部と、を備える。そして、開閉部により袋部の外周側を閉じたときに、袋部は、軸端側が開口した筒状とされ、開閉部により袋部の外周側を開いたときに、袋部は、端側が開口する袋状とされる。これにより、開閉部で袋部の外周側を閉じて袋部を筒状とすることで、適正に折り畳まれた状態の折り畳み傘を軸端側の開口から筒状の袋部内に収納できる。さらに、開閉部で袋部の外周側を開いて袋部を袋状とすることで、折り畳まれていない状態又は大雑把に折り畳まれた状態の折り畳み傘や傘以外の物品を端側の開口から袋状の袋部内に収納できる。
また、前記袋部に、前記袋部を手提げ状態とするための持ち手部が設けられている場合は、折り畳み傘や傘以外の物品を収納した傘袋を手提げ状態で持ち運ぶことができる。
また、前記開閉部により前記袋部の外周側を閉じたときに、前記袋部が、手提げ状態で上下方向に軸心が沿い且つ上端側が開口した有底筒状とされ、前記開閉部により前記袋部の外周側を開いたときに、前記袋部が、手提げ状態で上下方向に縦長となる平面矩形状で且つ上端側が開口する袋状とされる場合は、筒状の袋部及び袋状の袋部の収納性がともに高められる。
また、前記開閉部が、スライドファスナであり、前記スライドファスナが、第１エレメントと、第２エレメントと、スライダと、を備える場合は、スライダを第１及び第２エレメントに沿ってスライドさせることで、第１及び第２エレメントが噛合状態と非噛合状態とに変更されて袋部の外周側が開閉される。
また、前記持ち手部が、帯状又は紐状に形成されているとともに、両端側が前記袋部の上端側に接合されている場合は、持ち手部を簡易且つ安価に構成できる。
また、前記袋部が、第１布体及び第２布体を備え、少なくとも一方の布体に、該一方の布体の表面に沿うように可撓性の補強板が設けられている場合は、補強板により布体ひいては袋部の強度が高められる。
また、前記一方の布体が、前記補強板を挟んだ状態で互いの外周側が接合されている一対の布地を備える場合は、一対の布地により補強板が覆い隠され、意匠性が高められる。
さらに、前記第１布体及び前記第２布体のそれぞれが、防水性の材料で形成されている場合は、収納された折り畳み傘に付着した雨水の外部への漏れが抑制される。
【図面の簡単な説明】
【０００８】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る折り畳み傘用の傘袋（袋部の外周側を開いた状態）の正面図である。
【図２】上記傘袋の背面図である。
【図３】図１のＩＩＩ矢視図である。
【図４】図１のＩＶ−ＩＶ線断面拡大図である。
【図５】上記傘袋の作用説明図である。
【図６】上記傘袋（袋部の外周側を閉じた状態）の正面図である。
【図７】図６のＶＩＩ矢視図である。
【図８】図７のＸＩＩＩ−ＸＩＩＩ線断面拡大図である。
【考案を実施するための形態】
【０００９】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【実施例】
【００１０】
以下、図面を用いて実施例により本考案を具体的に説明する。なお、本実施例では、手提げ袋として機能する折り畳み傘用の傘袋を例示する。
【００１１】
（１）折り畳み傘用の傘袋の構成
本実施例に係る折り畳み傘用の傘袋１は、折り畳み傘２を収納するためのものである（図５及び図６参照）。この傘袋１は、図１〜図３に示すように、袋部３と、袋部３の外周側２５を開閉するスライドファスナ５（本考案に係る「開閉部」として例示する。）と、を備えている。この袋部３には、袋部３を手提げ状態とするための持ち手部４が設けられている。この持ち手部４は、帯状に形成されているとともに、両端側が袋部３の上端側に接合（例えば、縫着、接着、溶着等）されている。
【００１２】
上記袋部３は、図４に示すように、上端側が開口３ａするように互いの外周側が接合（例えば、縫着、接着、溶着等）されている第１布体１１及び第２布体１２を備えている。この第１布体１１には、第１布体１１の表面に沿うように可撓性の補強板１５が設けられている。具体的に、第１布体１１は、補強板１５を挟んだ状態で互いの外周側が接合（例えば、縫着、接着、溶着等）されている一対の布地１１ａ、１１ｂを備えている。また、第２布体１２は、単一の布地を備えている。さらに、第１布体１１及び第２布体１２のそれぞれは、防水性の材料（例えば、不織布、織物等）で形成されている。さらに、第１布体１１及び第２布体１２のそれぞれは、同じ大きさの平面矩形状に形成されている（図１及び図２参照）。
【００１３】
上記スライドファスナ５は、図１及び図６に示すように、袋部３の外周側２５において一方の横縁側２６ａ及び該一方の横縁側２６ａに連なる底縁側２６ｂに設けられる第１エレメント２１と、袋部３の外周側２５において他方の横縁側２７ａ及び該他方の横縁側２７ａに連なる底縁側２７ｂに設けられる第２エレメント２２と、第１エレメント２１及び第２エレメント２２に沿ってスライドすることで第１エレメント２１及び第２エレメント２２を噛合状態と非噛合状態とに変更するスライダ２３と、を備えている。これら第１及び第２エレメント２１、２２のそれぞれは、複数の歯２１ａ、２２ａをテープ状の基材２１ｂ、２２ｂに並設してなされている。
【００１４】
ここで、図６に示すように、スライドファスナ５により袋部３の外周側２５を閉じたとき（即ち、スライダ２３により第１及び第２エレメント２１、２２を噛合状態としたとき）に、袋部３は、軸端側が開口３ｂした筒状とされる。具体的に、袋部３は、手提げ状態で上下方向Ｐに軸心が沿い且つ上端側が開口３ｂした有底筒状とされる（図８参照）。一方、図１に示すように、スライドファスナ５により袋部３の外周側２５を開いたとき（即ち、スライダ２３により第１及び第２エレメント２１、２２を非噛合状態としたとき）に、袋部３は、端側が開口３ａする袋状とされる（図１〜図３参照）。具体的に、袋部３は、手提げ状態で上下方向Ｐに縦長となる平面矩形状で且つ上端側が開口３ａする袋状とされる。
【００１５】
（２）折り畳み傘用の傘袋の作用
次に、上記構成の折り畳み傘用の傘袋１の作用について説明する。スライドファスナ５により袋部３の外周側２５を閉じて袋部３を筒状とすれば、適正に折り畳まれた状態の折り畳み傘２を上端側の開口３ｂから筒状の袋部３内に収納できる（図６参照）。一方、スライドファスナ５により袋部３の外周側２５を開いて袋部３を袋状とすれば、折り畳まれていない状態又は大雑把に折り畳まれた状態の折り畳み傘２や傘以外の物品７を上端側の開口３ａから袋状の袋部３内に収納できる（図５参照）。
【００１６】
（３）実施例の効果
本実施例の折り畳み傘用の傘袋１によると、袋部３と、袋部３の外周側２５を開閉するスライドファスナ５と、を備える。そして、スライドファスナ５により袋部３の外周側２５を閉じたときに、袋部３は、軸端側が開口３ｂした筒状とされ、スライドファスナ５により袋部３の外周側２５を開いたときに、袋部３は、端側が開口３ａする袋状とされる。これにより、スライドファスナ５で袋部３の外周側２５を閉じて袋部３を筒状とすることで、適正に折り畳まれた状態の折り畳み傘２を軸端側の開口３ｂから筒状の袋部３内に収納できる。さらに、スライドファスナ５で袋部３の外周側２５を開いて袋部３を袋状とすることで、折り畳まれていない状態又は大雑把に折り畳まれた状態の折り畳み傘２や傘以外の物品７を端側の開口３ａから袋状の袋部３内に収納できる。
【００１７】
また、本実施例では、袋部３には、袋部３を手提げ状態とするための持ち手部４が設けられている。これにより、折り畳み傘２や傘以外の物品７を収納した傘袋１を手提げ状態で持ち運ぶことができる。
【００１８】
また、本実施例では、スライドファスナ５により袋部３の外周側２５を閉じたときに、袋部３は、手提げ状態で上下方向Ｐに軸心が沿い且つ上端側が開口３ｂした有底筒状とされ、スライドファスナ５により袋部３の外周側２５を開いたときに、袋部３は、手提げ状態で上下方向Ｐに縦長となる平面矩形状で且つ上端側が開口３ａする袋状とされる。これにより、筒状の袋部３及び袋状の袋部３の収納性がともに高められる。
【００１９】
また、本実施例では、スライドファスナ５は、第１エレメント２１と、第２エレメント２２と、スライダ２３と、を備える。これにより、スライダ２３を第１及び第２エレメント２１、２２に沿ってスライドさせることで、第１及び第２エレメント２１、２２が噛合状態と非噛合状態とに変更されて袋部３の外周側２５が開閉される。
【００２０】
また、本実施例では、持ち手部４は、帯状に形成されているとともに、両端側が袋部３の上端側に接合されている。これにより、持ち手部４を簡易且つ安価に構成できる。
【００２１】
また、本実施例では、袋部は、第１布体１１及び第２布体１２を備え、第１布体１１には、第１布体１１の表面に沿うように可撓性の補強板１５が設けられている。これにより、補強板１５により布体１１ひいては袋部３の強度が高められる。
【００２２】
また、本実施例では、第１布体１１は、補強板１５を挟んだ状態で互いの外周側が接合されている一対の布地１１ａ、１１ｂを備える。これにより、一対の布地１１ａ、１１ｂにより補強板１５が覆い隠され、意匠性が高められる。
【００２３】
さらに、本実施例では、第１布体１１及び第２布体１２のそれぞれは、防水性の材料で形成されている。これにより、収納された折り畳み傘２に付着した雨水の外部への漏れが抑制される。
【００２４】
尚、本考案においては、上記実施例に限られず、目的、用途に応じて本考案の範囲内で種々変更した実施例とすることができる。すなわち、上記実施例では、開閉部として、スライドファスナ５（「線ファスナ」とも称される。）を例示したが、これに限定されず、例えば、開閉部として、面的に着脱可能な一対のエレメントを備える面ファスナを採用したり、互いに係脱可能なフック構造やボタン構造を採用したりしてもよい。
【００２５】
また、上記実施例では、袋部３を手提げ状態とする持ち手部４を備える形態を例示したが、これに限定されず、例えば、手持ち部４を備えない袋部３としてもよい。さらに、上記実施例では、帯状の手持ち部４を例示したが、これに限定されず、例えば、紐状の手持ち部としてもよい。
【００２６】
また、上記実施例では、スライドファスナ５により袋部３の外周側２５を閉じたときに、袋部３が手提げ状態で上下方向Ｐに軸心が沿う筒状とされる形態を例示したが、これに限定されず、例えば、袋部が手提げ状態で左右方向に軸心が沿う筒状とされるようにしてもよい。
【００２７】
また、上記実施例では、スライドファスナ５により袋部３の外周側２５を開いたときに、袋部３が手提げ状態で上下方向Ｐに縦長の平面矩形状となる形態を例示したが、これに限定されず、例えば、袋部が手提げ状態で左右方向に横長の平面矩形状となるようにしてもよい。さらに、平面楕円形状、平面円形状、平面異形状等となる袋部としてもよい。
【００２８】
また、上記実施例では、袋部３が第１布１１及び第２布１２を備え、第１布１１に補強板１５を設ける形態を例示したが、これに限定されず、例えば、第１布１１及び第２布１２のそれぞれに補強板１５を設けるようにしてもよい。さらに、例えば、補強板１５を備えない袋部としてもよい。
【００２９】
さらに、上記実施例では、一対の布地１１ａ、１１ｂで覆われる補強板１５を例示したが、これに限定されず、例えば、一方の表面が露出される補強板としてもよい。
【００３０】
さらに、上記実施例では、防水性の材料からなる第１布体１１及び第２布体１２を例示したが、これに限定されず、例えば、防水性に代えて又は加えて、撥水性の材料からなる第１布体及び第２布体としてもよい。
【００３１】
前述の例は単に説明を目的とするものでしかなく、本考案を限定するものと解釈されるものではない。本考案を典型的な実施形態の例を挙げて説明したが、本考案の記述および図示において使用された文言は、限定的な文言ではなく説明的および例示的なものであると理解される。ここで詳述したように、その形態において本考案の範囲または精神から逸脱することなく、添付の実用新案登録請求の範囲内で変更が可能である。ここでは、本考案の詳述に特定の構造、材料および実施例を参照したが、本考案をここにおける開示事項に限定することを意図するものではなく、むしろ、本考案は添付の実用新案登録請求の範囲内における、機能的に同等の構造、方法、使用の全てに及ぶものとする。
【００３２】
本考案は上記で詳述した実施形態に限定されず、本考案の請求項に示した範囲で様々な変形または変更が可能である。
【産業上の利用可能性】
【００３３】
本考案は、折り畳み傘を収納する傘袋として広く利用される。特に、手提げ式の傘袋として好適に利用される。
【符号の説明】
【００３４】
１；折り畳み傘用の傘袋、２；折り畳み傘、３；袋部、３ａ，３ｂ；開口、４；持ち手部、５；スライドファスナ、１１；第１布体、１１ａ，１１ｂ；一対の布地、１２；第２布体、１５；補強板、２１；第１エレメント、２２；第２エレメント、２３；スライダ、２５；袋部の外周側、２６ａ；一方の横縁側、２６ｂ；底縁側、２７ａ；他方の横縁側、２７ｂ；底縁側、Ｐ；上下方向。
【図１】
0003206863.tif 000003
【図２】
0003206863.tif 000004
【図３】
0003206863.tif 000005
【図４】
0003206863.tif 000006
【図５】
0003206863.tif 000007
【図６】
0003206863.tif 000008
【図７】
0003206863.tif 000009
【図８】
0003206863.tif 000010